(57)【要約】【課題】ブラシ素線の寿命を長くすることができる移動電極式電気集塵装置用のブラシユニット及び移動電極式電気集塵装置を提供する。【解決手段】ブラシユニット５０は、軸５１の外周面長手方向に設けられたリブ５２と、複数のブラシ素線６２を帯状体６３に植設したチャンネルブラシ６０と、帯状体６３をリブ５２との間に挟む固定具５４と、帯状体６３をリブ５２と固定具５４との間に挟んだ状態で、リブ５２と固定具５４とを着脱可能に締結するボルト５７及びナット５６とを備える。【選択図】図１
2012157831.tif 000002
【特許請求の範囲】
【請求項１】
軸の外周面長手方向に設けられたリブと、
複数のブラシ素線を帯状体で挟着したブラシと、
前記帯状体を前記リブとの間に挟む固定具と、
前記帯状体を前記リブと前記固定具との間に挟んだ状態で、前記リブと前記固定具とを着脱可能に締結する締結手段と
を備えたことを特徴とする移動電極式電気集塵装置用のブラシユニット。
【請求項２】
前記固定具には切り欠き部が設けられ、前記固定具の前記切り欠き部に前記帯状体を係合させることを特徴とする請求項１に記載の移動電極式電気集塵装置用のブラシユニット。
【請求項３】
前記帯状体のうち前記複数のブラシ素線が配設された側の端部は前記リブ及び前記固定具の辺縁から外側に露出していることを特徴とする請求項１又は２に記載の移動電極式電気集塵装置用のブラシユニット。
【請求項４】
請求項１から３の何れか１項に記載のブラシユニットを備えた移動電極式電気集塵装置。
【発明の詳細な説明】
【技術分野】
【０００１】
本発明は、集塵極板の表面に接触して塵埃の掻き落としを行う移動電極式電気集塵装置のブラシユニット及び移動電極式電気集塵装置に関する。
【背景技術】
【０００２】
従来、火力発電所などにおいて、燃焼排気ガスから煤煙などの塵埃を除去する装置として、移動電極式電気集塵装置等が使用されている。この移動電極式電気集塵装置は、集塵極が複数の集塵極板からなり、これらの集塵極板をチェーンによってループを形成するように連結し、これらの集塵極板を周回させるとともに、周回路の途中に配設した一対のブラシユニットの間を通して表面に捕集した塵埃をブラシによって掻き落とすようになっている。このブラシユニットは、多数のブラシ素線を束ねたものを長尺の帯状体で挟み、当該帯状体を回転軸と連結して形成している。従来、帯状体と回転軸との連結方法としては、帯状体を回転軸に直接溶接したり、或いは、帯状体を平板に溶接した後に当該平板を回転軸に設けたリブに連結する方法が採られていた（例えば、引用文献１参照）。
【先行技術文献】
【特許文献】
【０００３】
【特許文献１】特開平９−３１３２５３号公報
【発明の概要】
【発明が解決しようとする課題】
【０００４】
このように帯状体と回転軸との連結には溶接が用いられていたが、ブラシ素線は太さ０．５ｍｍ以下のステンレス鋼等の金属からなっているため、帯状体を溶接したときに、溶接熱によりブラシ素線が熱損傷を受けて劣化し、ブラシ素線の毛折れが発生し易くなって寿命が短くなるという問題があった。
【０００５】
本発明は、上述した問題点を解決するためになされたものであり、ブラシ素線の寿命を長くすることができる移動電極式電気集塵装置用のブラシユニット及び移動電極式電気集塵装置を提供することを目的とする。
【課題を解決するための手段】
【０００６】
上記目的を達成するために、本発明に係る移動電極式電気集塵装置用のブラシユニットは、軸の外周面長手方向に設けられたリブと、複数のブラシ素線を帯状体で挟着したブラシと、前記帯状体を前記リブとの間に挟む固定具と、前記帯状体を前記リブと前記固定具との間に挟んだ状態で、前記リブと前記固定具とを着脱可能に締結する締結手段とを備えたことを特徴とする。
【０００７】
本発明によれば、帯状体をリブと固定具との間に挟んだ状態でリブと固定具とを締結手段で着脱可能に締結するため、ブラシ素線が溶接等による熱損傷を受けることがないので、ブラシ素線の寿命を長くすることができる。
上記発明において、前記固定具には切り欠き部が設けられ、前記固定具の前記切り欠き部に前記帯状体を係合させることを特徴とする。
【０００８】
本発明によれば、帯状体が動かないようにリブと固定具との間に固定することができる。
上記発明において、前記帯状体のうち前記複数のブラシ素線が配設された側の端部は前記リブ及び前記固定具の辺縁から外側に露出していることを特徴とする。
【０００９】
本発明によれば、ブラシ素線はリブや固定具に接触することがない。したがって、ブラシ素線がその接触箇所で大きく折れ曲がることがないため、ブラシ素線にかかる曲げ応力を小さくすることができ、ブラシ素線の寿命を長くすることができる。
【００１０】
また、本発明は、上記ブラシユニットを備えた移動電極式電気集塵装置を提供する。本発明によれば、ブラシ素線の寿命を長くすることができブラシの交換頻度を低減することができるため、稼働率が高く経済性のある移動電極式電気集塵装置を提供することができる。
【発明の効果】
【００１１】
本発明によれば、帯状体をリブと固定具との間に挟んだ状態でリブと固定具とを締結手段で着脱可能に締結するため、ブラシ素線が溶接等による熱損傷を受けることがないので、ブラシ素線の寿命を長くすることができる。
【図面の簡単な説明】
【００１２】
【図１】本発明の実施形態に係るブラシユニットの斜視展開図である。
【図２】チャンネルブラシの斜視図である。
【図３】同実施形態に係るブラシユニットの側面図である。
【図４】同実施形態に係るブラシユニットの断面図である。
【図５】移動電極式電気集塵装置の集塵極板の両面を挟む位置に配置されている一対のブラシユニットを示す図である。
【図６】移動電極の構成を説明するための１つの移動電極の斜視図である。
【図７】移動電極式電気集塵装置が備える複数の移動電極の下部の配置図である。
【発明を実施するための形態】
【００１３】
次に、本発明に係るブラシユニットを移動電極式電気集塵装置に適用した場合の発明を実施するための形態について、図面を参照して詳細に説明する。
移動電極式電気集塵装置は、塵埃を電気集塵する複数の移動電極を備えている。
【００１４】
図６は、移動電極の構成を説明するための１つの移動電極１５の斜視図である。図６に示すように、移動電極１５は、上部に駆動ホイール２６が配置され、下部にローラ２８が配置されている。駆動ホイール２６とローラ２８との間には一対の無端チェーン３０が張り渡されている。この一対の無端チェーン３０の間には複数の集塵極板３２が懸垂されており、移動電極１５全体としてループを形成している。駆動ホイール２６の軸３４は駆動機構（不図示）によって回転し、この回転が駆動ホイール２６と噛み合う無端チェーン３０に伝達されて無端チェーン３０が周回する。これに連動して、無端チェーン３０に懸垂された複数の集塵極板３２が周回する。
【００１５】
図７は、移動電極式電気集塵装置が備える複数の移動電極１５の下部の配置図である。複数の移動電極１５は並列に配置されており、放電極１４を１つ置きに周回するようにループを形成している。無端チェーン３０に懸垂されて周回により下降した各集塵極板３２は、ローラ２８の位置で上昇に転じる。この上昇後の集塵極板３２の両面を挟む位置に、一対のブラシユニット５０が配置されている。ブラシユニット５０はブラシ素線６２の先端と集塵極板３２の表面が摺動しながら集塵極板３２の表面に付着した塵埃を下方に払い落す。ブラシユニット５０によって塵埃が除去された集塵極板３２は順次上昇し、上部の放電領域で電気集塵の原理により空気中の塵埃をその表面に捕集して、再び下降する。
【００１６】
図５は、図７に示すブラシユニット５０部分の拡大図である。ブラシユニット５０は、集塵極板３２の両面に幅方向（紙面に垂直方向）に伸びるチャンネルブラシ６０と、このチャンネルブラシ６０の根元を支えて集塵極板３２の両面にチャンネルブラシ６０を接触させるように回動調整可能な軸５１とを有している。チャンネルブラシ６０は集塵極板３２の表面と所定の角度だけ上向き（集塵極板３２の進行方向）に傾斜して、集塵極板３２に接触するように配置されている。チャンネルブラシ６０が摩耗して集塵極板３２に接触しにくくなった場合には、チャンネルブラシ６０が現在よりも下向きとなるように軸５１を回転させて集塵極板３２に接触するように調整することができる。チャンネルブラシ６０は軸５１に設けられたリブ５２と、固定具５４とで挟持されている。
【００１７】
図１はブラシユニット５０の斜視展開図であり、図２はチャンネルブラシ６０の斜視図であり、図３は図５に示すブラシユニット５０の拡大図であり、図４はブラシユニット５０の断面図である。これらの図を参照して、ブラシユニット５０の構成を詳細に説明する。
【００１８】
図１に示すように、軸５１の外周面長手方向には、平板状のリブ５２が溶接されている。リブ５２の厚さ方向にはボルト５７を通すための貫通孔５２ａが設けられている。リブ５２と、当該リブ５２の長手方向に複数配置された固定具５４との間にチャンネルブラシ６０が挟まれる。
【００１９】
チャンネルブラシ６０は、図２に示すように、チャンネル（溝型鋼）形状の帯状体６３と、複数のブラシ素線６２とを有していて、帯状体６３によってブラシ素線６２が挟着されている。帯状体６３は例えばステンレス鋼などから構成されている。帯状体６３は、ブラシ素線６２を挟む前は断面コの字型形状を有している。ブラシ素線６２は、例えば直径が０．５ｍｍ程度のステンレスの細線から構成されている。当該ブラシ素線６２を多数束ねて、芯棒６１を軸に２つ折にして形成された折曲げ部が、帯状体６３の溝内に上部開口から挿入されて、溝内に配置される。この状態で、ブラシ素線６２の抜けを防止するために帯状体６３の上端部がかしめられ、ブラシ素線６２の折曲げ部の上方を圧着して挟持する。これにより、帯状体６３は三角形の断面を有する三角台座に形成され、三角台座をもつブラシユニット５０となる。
【００２０】
固定具５４は、図１に示すように、チャンネル形状を有しており、上部から見てコの字型となるように配置されている。固定具５４のコの字先端上部それぞれには、切り欠き部５４ａが設けられている。切り欠き部５４ａは帯状体６３の三角台座の底面及び斜面に沿うように切り欠かれている。図３及び図４に示すように、当該切り欠き部５４ａに対して帯状体６３で形成された三角台座の底面及び斜面を密着させて係合することで、チャンネルブラシ６０が動かないようにリブ５２に固定することができる。固定具５４の中央部にはボルト５７を通すための貫通孔５４ｂが設けられている。
【００２１】
リブ５２の各貫通孔５２ａ及び各固定具５４の貫通孔５４ｂには、リブ５２側からボルト５７が通され、当該ボルト５７に固定具５４側からワッシャ５５が通されナット５６が螺合される。本実施形態では、ボルト５７とナット５６が、リブ５２と固定具５４とを締結する締結手段となる。なお、締結手段はボルト５７とナット５６に限定されることはなく、例えば、セットビス、フック、粘着テープ、結束バンド等の、熱を加えずに脱着可能に締結可能な手段であればよい。
【００２２】
このように締結した状態において、図３及び図４に示すように、帯状体６３のブラシ素線６２が配設された側の端部６３ａは、リブ５２及び固定具５４の辺縁から外側に露出した状態となる。これにより、ブラシ素線６２がリブ５２や固定具５４の辺縁に接触することがなく、したがってブラシ素線６２が当該接触箇所で大きく折れ曲がることがないため、ブラシ素線６２にかかる曲げ応力を小さくすることができ、ブラシ素線６２の寿命を長くすることができる。
【００２３】
ブラシ素線６２が摩耗してチャンネルブラシ６０を交換する際には、ボルト５７とナット５６の締結を解いて古いチャンネルブラシ６０を外し、替わりに新しいチャンネルブラシ６０をリブ５２と固定具５４との間に挟み込み、リブ５２と固定具５４とをボルト５７とナット５６で締結する。このように、ブラシ素線６２が摩耗した場合にチャンネルブラシ６０のみを交換すればよく、ブラシユニット５０全体を交換する必要がないため、コストを低減できる。
【００２４】
以上説明したように、ブラシユニット５０は、チャンネルブラシ６０を溶接により軸５１やリブ５２に取り付けることなく組み立てることができるため、ブラシ素線６２が熱損傷を受けることがなく、ブラシ素線６２の寿命を長くすることができる。これにより、チャンネルブラシ６０の交換頻度を低減することができ、交換の手間が省け、交換する場合にもブラシユニット全体を交換する必要がないため、稼働率が高く経済的な移動電極式電気集塵装置を提供することができる。
【００２５】
なお、上述した実施形態においては、軸５１の長手方向に１つのブラシユニット５０を直線状に取り付ける例について説明したが、軸５１に取り付けるブラシユニット５０の数は必要に応じて任意に選択することができる。また、複数のブラシユニット５０を螺旋状に配置し、軸５１を動力で回転させるようにしてもよい。また、上述した実施形態においては、複数の固定具５４を用いたが、複数の固定具５４を一体型に形成したものを用いてもよい。
【符号の説明】
【００２６】
１４………放電極、１５………移動電極、２６………駆動ホイール、２８………ローラ、３０………無端チェーン、３２………集塵極板、３４………軸、５０………ブラシユニット、５１………軸、５２………リブ、５２ａ………貫通孔、５４………固定具、５４ａ………切り欠き部、５４ｂ………貫通孔、５５………ワッシャ、５６………ナット、５７………ボルト、６０………チャンネルブラシ、６１………芯棒、６２………ブラシ素線、６３………帯状体、６３ａ………端部。
【図１】
2012157831.tif 000003
【図２】
2012157831.tif 000004
【図３】
2012157831.tif 000005
【図４】
2012157831.tif 000006
【図５】
2012157831.tif 000007
【図６】
2012157831.tif 000008
【図７】
2012157831.tif 000009